(57)【要約】【課題】部分点灯時の光漏れを抑制すると共に、全面点灯時において画像品質の低下を抑えることが可能な面発光装置およびこれを備えた表示装置を提供する。【解決手段】基準面１０Ａの、複数の点光源１０の間の領域に、構造体３０を設ける。構造体３０の基準面１０Ａから上端３０Ａまでの光学距離ｈｃを、基準面１０Ａと光学板２０との間の光学距離ｈよりも小さくする。構造体３０の上端と構造体３０に隣接する点光源１０の中心とを結ぶ直線Ｌ３０が基準面１０Ａに対してなす角θは、θ＜ａｒｃｔａｎ（ｈ／（Ｐ／２））（Ｐは隣接する二つの点光源１０の間の光学距離、ｈは基準面１０Ａと光学板２０との間の光学距離を表す。）を満たすと共に、基準面１０Ａから構造体３０の上端３０Ａまでの光学距離ｈｃは、ｈｃ＜（２ｈ）／３を満たすことが好ましい。【選択図】図１
2012138255.tif 000002
【特許請求の範囲】
【請求項１】
基準面内に互いに離間して配置された複数の点光源と、
前記複数の点光源に対向配置された光学板と、
前記基準面の、前記複数の点光源の間の領域に設けられ、前記基準面から上端までの光学距離が前記基準面と前記光学板との間の光学距離よりも小さい構造体と
を備えた面発光装置。
【請求項２】
前記構造体の上端と前記構造体に隣接する前記点光源の中心とを結ぶ直線が前記基準面に対してなす角θが数１を満たすと共に、前記基準面から前記構造体の上端までの光学距離ｈｃが数２を満たす
請求項１記載の面発光装置。
（数１）
θ＜ａｒｃｔａｎ（ｈ／（Ｐ／２））
（数２）
ｈｃ＜（２ｈ）／３
（数１および数２において、Ｐは隣接する二つの点光源の間の光学距離、ｈは前記基準面と前記光学板との間の光学距離を表す。）
【請求項３】
前記複数の点光源は、前記基準面内に行列状に配置されており、
前記構造体は、前記複数の点光源の行間または列間に線状に設けられている
請求項２記載の面発光装置。
【請求項４】
前記構造体は、前記複数の点光源の１行あるいは１列ごと、または複数行あるいは複数列ごとに設けられている
請求項３記載の面発光装置。
【請求項５】
前記構造体は、前記複数の点光源の各々を軸中心とした回転体形状を有する
請求項２記載の面発光装置。
【請求項６】
前記構造体の前記点光源に対向する側面は、曲面である
請求項１記載の面発光装置。
【請求項７】
前記構造体は前記複数の点光源からの光を前記光学板の側へ反射させる反射部材である
請求項１記載の面発光装置。
【請求項８】
面発光装置および前記面発光装置からの光を選択的に透過し画像を表示する液晶セルを備え、
前記面発光装置は、
基準面内に互いに離間して配置された複数の点光源と、
前記複数の点光源に対向配置された光学板と、
前記基準面の、前記複数の点光源の間の領域に設けられ、前記基準面から上端までの光学距離が前記基準面と前記光学板との間の光学距離よりも小さい構造体と
を備えた表示装置。
【発明の詳細な説明】
【技術分野】
【０００１】
本技術は、例えば照明として用いられる面発光装置およびこれを備えた表示装置に関する。
【背景技術】
【０００２】
透過型液晶表示装置は、照明として使用される面発光装置と、光を選択的に透過し画像を表示する液晶セルとで構成されている。通常、面発光装置は、発光面の光強度が均一になるように設計されており、液晶セルで光の透過および遮蔽を組み合わせることにより画像を作り出している。
【０００３】
面発光装置は面内均一な光強度であるため、液晶セルで光を遮蔽しなければならない領域においても、微量ながら光漏れが発生してしまい画像品質を低下させてしまう。その問題を回避するために、発光面後方に光源を規則的に配置すると共に、画像に合わせて光源を部分的に点灯させ、不要な光漏れを抑制することにより黒色表示特性を向上させる技術が用いられている。しかし、画像と完全に一致する部分点灯は不可能であり、部分点灯させた光源付近には、不要な光漏れが発生してしまう。
【０００４】
そこで、発光面後方に線光源を規則的に配置すると共に、線光源の間を構造物で完全に区切ることにより光漏れを完全に抑制することが提案されている（例えば、特許文献１参照）。
【先行技術文献】
【特許文献】
【０００５】
【特許文献１】特許第３６９９００２号明細書
【発明の概要】
【発明が解決しようとする課題】
【０００６】
しかしながら、特許文献１の構成では、全面点灯時において構造物が輝度分布として画像で確認できてしまうので、画像品質を著しく悪化させてしまうという問題があった。
【０００７】
本技術の目的は、部分点灯時の光漏れを抑制すると共に、全面点灯時において画像品質の低下を抑えることが可能な面発光装置およびこれを備えた表示装置を提供することにある。
【課題を解決するための手段】
【０００８】
本技術の面発光装置は、以下の（Ａ）〜（Ｃ）の構成要素を備えたものである。
（Ａ）基準面内に互いに離間して配置された複数の点光源
（Ｂ）複数の点光源に対向配置された光学板
（Ｃ）基準面の、複数の点光源の間の領域に設けられ、基準面から上端までの光学距離が基準面と光学板との間の光学距離よりも小さい構造体
【０００９】
本技術の面発光装置では、基準面の、複数の点光源の間の領域に構造体が設けられているので、部分点灯時に不要な光拡散が抑制される。また、基準面から構造体の上端までの光学距離が基準面と光学板との間の光学距離よりも小さいので、全面点灯時において構造体に起因する輝度むらが小さくなる。
【００１０】
本技術の表示装置は、上記本技術の面発光装置および面発光装置からの光を選択的に透過し画像を表示する液晶セルを備えたものである。
【００１１】
本技術の表示装置では、上記本技術の面発光装置を備えているので、部分点灯時において不要な光拡散が抑制され、黒白コントラストが向上する。また、全面点灯時に構造体が輝度分布として画像で確認されにくくなり、画像品質の低下が抑えられる。
【発明の効果】
【００１２】
本技術の面発光装置、または本技術の表示装置によれば、基準面の、複数の点光源の間の領域に、基準面から上端までの光学距離が基準面と光学板との間の光学距離よりも小さい構造体を設けるようにしたので、部分点灯時の光漏れを抑制すると共に、全面点灯時において画像品質の低下を抑えることが可能となる。
【図面の簡単な説明】
【００１３】
【図１】本技術の一実施の形態に係る表示装置の構成を表す断面図である。
【図２】図１に示した構造体を設けるのに好適な空間領域を説明するための断面図である。
【図３】図３（Ａ）は図１に示した面発光装置の構成を表す斜視図であり、図３（Ｂ）は、図３（Ａ）に示した面発光装置の一部を拡大して表す断面図である。
【図４】変形例１に係る表示装置の構成を表す断面図である。
【図５】図４に示した構造体の一例を表す平面図である。
【図６】図４に示した構造体の他の例を表す平面図である。
【図７】図４に示した構造体の更に他の例を表す平面図である。
【図８】変形例２に係る表示装置の構成を表す断面図である。
【図９】変形例３に係る表示装置の構成を表す断面図である。
【図１０】図９に示した構造体を表す斜視図である。
【図１１】変形例４に係る表示装置の構成を表す断面図である。
【図１２】図１１に示した構造体を表す斜視図である。
【図１３】本技術の実施例における点灯エリアを説明するための斜視図である。
【図１４】図１３に示した点灯エリアを拡大して表す断面図である。
【図１５】実施例の発光強度を比較例と対比して表す図である。
【図１６】実施例の黒白コントラストを比較例と対比して表す図である。
【発明を実施するための形態】
【００１４】
以下、本技術の実施の形態について図面を参照して詳細に説明する。なお、説明は以下の順序で行う。
１．実施の形態（線状の構造体の側面を曲面にした例）
２．変形例１（線状の構造体の断面を四角形にした例）
３．変形例２（線状の構造体の断面を三角形にした例）
４．変形例３（複数の点光源の各々を軸中心とした円筒状の構造体を設けた例）
５．変形例４（複数の点光源の各々を軸中心としたすり鉢状の構造体を設けた例）
６．実施例
【００１５】
（第１の実施の形態）
図１は、本技術の一実施の形態に係る表示装置の断面構成を概略的に表したものである。この表示装置１は、例えばテレビジョン装置や、ノート型パソコン、カーナビゲーション等の表示モニタとして用いられる液晶表示装置であり、液晶セル２の背面側（光入射側）にバックライトユニットとしての面発光装置３を備えている。
【００１６】
液晶セル２は、面発光装置３からの照明光に基づいて映像表示を行う液晶表示パネルであり、ゲートドライバ（図示せず）から供給される駆動信号によって、データドライバ（図示せず）から伝達される映像信号に基づいて画素ごとに映像表示を行うアクティブマトリクス方式のものである。液晶セル２は、例えば、駆動基板と対向基板と（いずれも図示せず）の間に、液晶層（図示せず）を封止してなる。駆動基板および対向基板の外側の面には、偏光板（図示せず）が貼り合わせられている。駆動基板には、例えばガラス基板上に、各画素を駆動するＴＦＴ（Thin Film Transistor；薄膜トランジスタ）が配設されると共に、各画素に映像信号等を供給するための駆動回路や、外部接続用の配線基板等が設けられている。対向基板は、例えばガラス基板上に、３原色（Ｒ，Ｇ，Ｂ）のカラーフィルタ（図示せず）が、画素毎に形成されたものである。液晶層には、例えばＶＡ（Vertical Alignment：垂直配向）モード、ＴＮ（Twisted Nematic ）モード、ＩＰＳ（In Plane Switching）モード等のネマティック液晶を含むものが用いられる。なお、駆動基板および対向基板は、必ずしもこの順番で設けられていなくとも良い。また、カラーフィルタは特に設けられていなくともよく、あるいは、カラーフィルタが対向基板ではなく駆動基板に設けられていてもよい。更には、駆動素子としては、ＴＦＴ以外を用いることも可能である。
【００１７】
面発光装置３は、複数の点光源１０と、光学板２０とを対向配置した構成を有する部分点灯可能なバックライトユニットである。複数の点光源１０は、例えば発光ダイオード（ＬＥＤ：Light Emitting Diode）により構成され、基準面１０Ａ内に互いに離間して規則的に配置されている。なお、複数の点光源１０は、シリコン基板などの基材（図１には図示せず。）の表面に実装されている。基準面１０Ａは、複数の点光源１０の発光中心を含む平面であり、複数の点光源１０が実装されている基材の表面とは必ずしも一致しない。以下の説明および図面では、基準面１０Ａに対して垂直な方向（前後方向）をｚ方向、基準面１０Ａの左右方向（横方向、行方向）をｘ方向、基準面１０Ａの上下方向（縦方向、列方向）をｙ方向とする。
【００１８】
光学板２０は、例えば、光学機能シート（図示せず）と適宜組み合わせられてスクリーンを構成する拡散板であり、第１面２０Ａに複数の点光源１０からの光が照射され、第１面２０Ａの反対側の第２面２０Ｂから、光が再放射されるようになっている。光学板２０は、点光源１０から光学距離ｈを隔てて配置されている。複数の点光源１０から放射された光は、光学板２０および光学機能シート（図示せず）よりなるスクリーンと、点光源１０との間の空間で混合されることで、光学板２０に入射される光が均一化されるようになっている。
【００１９】
基準面１０Ａと光学板２０との間には、支持ピン（図示せず）等を設置することが望ましい。大型の面発光装置３では光学板２０がたわみ、点光源１０と光学板２０との間の光学距離ｈを一定に保つことが難しくなるからである。
【００２０】
基準面１０Ａの、複数の点光源１０の間の領域には、構造体３０が設けられている。この構造体３０の基準面１０Ａから上端３０Ａまでの光学距離ｈｃは、基準面１０Ａと光学板２０との間の光学距離ｈよりも小さい。これにより、この表示装置１では、部分点灯時の光漏れを抑制すると共に、全面点灯時において画像品質の低下を抑えることが可能となっている。
【００２１】
すなわち、複数の点光源１０Ａの間に構造体３０を設けることにより、部分点灯時の光漏れを低減・抑制し、黒白画質を向上させることが可能となる。その一方、基準面１０Ａと光学板２０との間の空間を構造体３０により完全に仕切ると、輝度むらが大きく悪化する。そのため、構造体３０の上端３０Ａと光学板２０との間に隙間Ｇを設けることにより、全面点灯時において画像品質の低下を抑えることが可能となる。また、この構造体３０を設けることにより輝度むらが発生する場合は、発生箇所が限定されるので、液晶セル２においてこの輝度むらに対して透過率補正を行うことにより、もしくは点光源１０に付与する光学レンズにより配光特性の補正を行うことにより、輝度分布を改善することも可能である。
【００２２】
具体的には、構造体３０の上端と構造体３０に隣接する点光源１０の中心とを結ぶ直線Ｌ３０が基準面１０Ａに対してなす角θは数１を満たすと共に、基準面１０Ａから構造体３０の上端３０Ａまでの光学距離ｈｃは数２を満たすことが好ましい。
【００２３】
（数１）
θ＜ａｒｃｔａｎ（ｈ／（Ｐ／２））
（数２）
ｈｃ＜（２ｈ）／３
（数１および数２において、Ｐは隣接する二つの点光源１０の間の光学距離、ｈは基準面１０Ａと光学板２０との間の光学距離を表す。）
【００２４】
換言すれば、構造体３０は、図２に示したように、点光源１０の中心１０Ｂと光学板２０の第１面２０Ａにおいて隣接する二つの点光源１０の中点Ｐ１に対向する点Ｐ２とを結ぶ直線Ｌ１と、基準面１０Ａからの光学距離が（２ｈ）／３である直線Ｌ２とによって囲まれた台形形状の領域Ａ（図２において網掛けを付した領域）内に設けられていることが好ましい。
【００２５】
その理由は以下の通りである。点光源１０は、全面点灯する場合、隣り合う点光源１０と補完しながら発光強度が均一になるように設計されている。そのため、構造体３０の仰角θが角度α（＝ａｒｃｔａｎ（ｈ／（Ｐ／２）））（°）よりも大きいと、全面点灯時の輝度むらが激しくなり、構造体３０が画像として確認されるようになってしまう。
【００２６】
また、表１は、基準面１０Ａから構造体３０の上端３０Ａまでの光学距離ｈｃ、すなわち構造体３０の光学高さを異ならせて輝度むらの有無や程度を調べた結果を表したものである。表１から、光学距離ｈｃが（２ｈ）／３以下であれば、輝度むらをなくす、または抑えることが可能となることが分かる。
【００２７】
【表１】
2012138255.tif 000003
【００２８】
なお、基準面１０Ａから構造体３０の上端３０Ａまでの光学距離ｈｃ、すなわち構造体３０の光学高さの下限は特に限定されない。
【００２９】
図３（Ａ）は、図１に示した面発光装置３の複数の点光源１０および構造体３０を、光学板２０の側から見た構成を表したものである。複数の点光源１０は、基準面１０Ａ内に行列状（図３（Ａ）では例えば４行×４列）に配置されている。構造体３０は、複数の点光源１０の行間に線状に、塀または壁のような形状で設けられている。また、構造体３０は、複数の点光源１０の２行ごとに（図３（Ａ）では例えば、第１行と第２行との間、および第３行と第４行との間に）設けられている。
【００３０】
構造体３０は、図３（Ｂ）に示したように、複数の点光源１０からの光νを光学板２０の側へ反射させる反射部材であることが好ましい。これにより、光学板２０の側、すなわち観察者側に出射する光強度が向上し、従来に比べて明るい画像を表示することが可能となる。また、電力を抑制することが可能となる。そのため、構造体３０は、反射率の高い金属材料などにより構成されているか、または表面に反射率の高い金属材料などよりなる反射膜４０が設けられていることが望ましい。あるいは、構造体３０は、複数の点光源１０で発生した光を、構造体３０の側面３０Ｂと空気層との界面により反射させ、反射膜による吸収損失を抑えるようにしてもよい。
【００３１】
構造体３０の点光源１０に対向する側面３０Ｂは、図１および図３（Ｂ）に示したように、曲面、具体的には放物線となるような曲率を有する面であることが好ましい。構造体３０の下部に当たった光および構造体３０の上部に当たった光のどちらに対しても全反射条件を満たしやすく、光を光学板２０側へ立ち上げるのに有利となるからである。直線テーパの断面形状とした場合、構造体３０の下部に当たった光は全反射条件を満たしにくくなるものの、全体として構造体３０がない場合よりは十分に光取り出し効率を高めることができる。
【００３２】
この表示装置１は、例えば次のようにして製造することができる。
【００３３】
まず、液晶セル２を作製する。すなわち、ＴＦＴおよび駆動回路等が配設された駆動基板と、カラーフィルタを有する対向基板とを、液晶層を介して貼り合わせたのち、駆動基板および対向基板の外側の面に、偏光板を貼り合わせる。
【００３４】
他方、面発光装置３を形成する。すなわち、シリコン基板などの基材（図示せず）に配線（図示せず）を施し、この基材の表面に、ＬＥＤなどの複数の点光源１０を規則的な行列状の配置で実装する。次いで、基材の表面の、複数の点光源１０の間の領域に、構造体３０を設ける。構造体３０は、例えば、反射シートの折り曲げや成形、樹脂の射出成形、樹脂の削り出し、金属の削り出しなどにより製造することが可能である。また、構造体３０は、反射率の高い金属材料により形成するか、または表面に反射率の高い金属材料よりなる反射膜を設けることが望ましい。
【００３５】
続いて、上述した光学板２０を用意し、この光学板２０を複数の点光源１０および構造体３０に対向配置することにより、面発光装置３を形成する。その際、構造体３０の基準面１０Ａから上端３０Ａまでの光学距離ｈｃを、基準面１０Ａと光学板２０との間の光学距離ｈよりも小さくする。
【００３６】
更に、構造体３０の上端と構造体３０に隣接する点光源１０の中心とを結ぶ直線Ｌ３０が基準面１０Ａに対してなす角θが上述した数１を満たすと共に、基準面１０Ａから構造体３０の上端３０Ａまでの光学距離ｈｃが上述した数２を満たすようにすることが好ましい。
【００３７】
そののち、面発光装置３を液晶セル２の背面側に設置し、外装部材（図示せず）内に収容する。以上により、図１に示した表示装置１が完成する。
【００３８】
この表示装置１では、面発光装置３の複数の点光源１０からの光は、光学板２０を介して液晶セル２に入射する。その入射光は、偏光板（図示せず）を通過した後、駆動基板および対向基板間（いずれも図示せず）に印加された映像電圧に基づいて、画素毎に変調されつつ液晶層（図示せず）を透過する。液晶層を透過した光は、カラーフィルタを有する対向基板（図示せず）を通過することにより、カラーの表示光として偏光板（図示せず）の外側へ取り出される。
【００３９】
このとき、面発光装置３では、基準面１０Ａの、複数の点光源１０の間の領域に構造体３０が設けられているので、部分点灯時に不要な光拡散が抑制される。よって、表示装置１の黒白コントラストが向上する。
【００４０】
また、全面点灯時において、各点光源１０からの発光１０Ｃは、図３（Ｂ）において点線で示したように、各点光源１０の周囲に椀状に隣り合う点光源１０と補完しながら光学板２０の第１面２０Ａ全体にほぼ均一に広がっている。ここで、基準面１０Ａから構造体３０の上端までの光学距離ｈｃが基準面１０Ａと光学板２０との間の光学距離ｈよりも小さいので、全面点灯時において構造体３０に起因する輝度むらが小さくなる。よって、全面点灯時に構造体３０が輝度分布として画像で確認されにくくなり、画像品質の低下が抑えられる。
【００４１】
更に、図３（Ｂ）に示したように、構造体３０により点光源１０からの光νが光学板２０の側へ反射される。よって、光学板２０の側、すなわち観察者側に出射する光強度が向上し、従来に比べて明るい画像が表示される。また、消費電力が抑制される。
【００４２】
このように本実施の形態では、基準面１０Ａの、複数の点光源１０の間の領域に構造体３０を設け、この構造体３０の基準面１０Ａから上端３０Ａまでの光学距離ｈｃを、基準面１０Ａと光学板２０との間の光学距離ｈよりも小さくするようにしたので、部分点灯時の光漏れを抑制すると共に、全面点灯時において画像品質の低下を抑えることが可能となる。
【００４３】
（変形例１）
図４は、本技術の変形例１に係る表示装置１Ａの断面構成を表したものである。この表示装置１Ａは、構造体３０の断面形状を四角形としたことを除いては、上記実施の形態と同様の構成・作用および効果を有し、上記実施の形態と同様にして製造することが可能である。
【００４４】
図５は、図４に示した面発光装置３の複数の点光源１０および構造体３０を、光学板２０の側から見た平面構成を表したものである。複数の点光源１０は、基準面１０Ａ内に行列状（図５では例えば４行×４列）に配置されている。構造体３０は、複数の点光源１０の行間に線状に設けられている。構造体３０は、複数の点光源１０の１行ごとに（各行の間に）設けられている。
【００４５】
図６は、構造体３０の他の平面構成を表したものである。構造体３０は、図６に示したように、複数の点光源の列間に線状に設けられていてもよい。この場合、構造体３０は、複数の点光源１０の１列ごとに（各列の間に）設けられていてもよいし、複数列ごとに設けられていてもよい。
【００４６】
図７は、構造体３０の他の平面構成を表したものである。構造体３０は、図７に示したように、複数の点光源１０の行間および列間に線状に設けられることにより格子状をなしていてもよい。この場合、構造体３０は、複数の点光源１０の１行および１列ごとに設けられていてもよいし、複数行あるいは複数列ごとに設けられていてもよい。
【００４７】
（変形例２）
図８は、本技術の変形例２に係る表示装置１Ｂの断面構成を表したものである。この表示装置１Ｂは、構造体３０の断面形状を三角形としたことを除いては、上記実施の形態および変形例１と同様の構成・作用および効果を有し、上記実施の形態と同様にして製造することが可能である。
【００４８】
更に、図８に示したように、構造体３０の構造体３０の基準面１０Ａから上端３０Ａまでの光学距離ｈｃ、すなわち構造体３０の光学高さは、各構造体３０ごとに異なっていてもよい。このようにすれば、構造体３０による輝度むらが不規則になり、輝度むらを更に目立ちにくくすることが可能である。
【００４９】
（変形例３）
図９および図１０は、本技術の変形例３に係る表示装置１Ｃの断面構成を表したものである。この表示装置１Ｃは、構造体３０を、複数の点光源１０の各々を軸中心とした回転体形状、具体的には円筒状としたことを除いては、上記実施の形態と同様の構成・作用および効果を有し、上記実施の形態と同様にして製造することが可能である。
【００５０】
本変形例では、構造体３０を点光源１０の近傍に円筒状に設けることにより、構造体３０による輝度むらを更に目立ちにくくすることが可能である。
【００５１】
（変形例４）
図１１および図１２は、本技術の変形例４に係る表示装置１Ｄの断面構成を表したものである。この表示装置１Ｄは、構造体３０を、複数の点光源１０の各々を軸中心とした回転体形状、具体的にはすり鉢状（椀状）としたことを除いては、上記実施の形態と同様の構成・作用および効果を有し、上記実施の形態と同様にして製造することが可能である。
【００５２】
本変形例では、構造体３０を点光源１０の近傍にすり鉢状（椀状）に設けることにより、構造体３０による輝度むらを更に目立ちにくくすることが可能である。
【実施例】
【００５３】
以下、本技術の具体的な実施例について説明する。
【００５４】
（実施例１）
上記実施の形態と同様にして表示装置１を作製した。その際、図１３に示したように、複数の点光源１０を基準面１０Ａ内に行列状に配置し、それら複数の点光源１０の行間に断面形状が四角形の構造体３０を線状に設けた。また、構造体３０は、複数の点光源１０の２行ごとに設けた。
【００５５】
得られた表示装置１について、図１４に示したように、二本の構造体３０に挟まれた領域５０内の２行の点光源１０を点灯させ、横中線Ｌ３における縦方向の光強度を測定した。その結果を図１５に示す。
【００５６】
（比較例１）
本実施例に対する比較例１として、構造体を設けないことを除いては本実施例と同様にして表示装置を作製した。得られた比較例１の表示装置についても、本実施例と同一位置の点光源を点灯させ、横中線における縦方向の光強度を測定した。その結果を図１５に併せて示す。
【００５７】
図１５から分かるように、構造体３０を設けた実施例１では、構造体を設けない比較例１に比べ、光強度は２０％上がると共に、不要な光の広がりは抑制されていた。
【００５８】
また、実施例１および比較例１の表示装置に対して、図１４に示したように、二本の構造体３０に挟まれた領域５０内の２行の点光源１０を点灯させた状態で、図１６（Ａ）に示したように、黒地の中央に白の四角形を有する入力信号を供給し、黒白コントラストを調べた。図１６（Ｂ）および図１６（Ｃ）は、その結果を模式的に表したものである。
【００５９】
図１６（Ｂ）および図１６（Ｃ）から分かるように、構造体３０を設けた実施例１では、構造体を設けない比較例１に比べて、黒白コントラストが向上し、鮮明な画像が表示された。
【００６０】
すなわち、基準面１０Ａの、複数の点光源１０の間の領域に構造体３０を設け、この構造体３０の基準面１０Ａから上端３０Ａまでの光学距離ｈｃを、基準面１０Ａと光学板２０との間の光学距離ｈよりも小さくすれば、部分点灯時の光漏れを抑制し、従来よりも明るく鮮明な画像を表示することができることが分かった。
【００６１】
以上、実施の形態および実施例を挙げて本技術を説明したが、本技術は上記実施の形態等に限定されず、種々の変形が可能である。
【００６２】
なお、本技術は以下のような構成を取ることも可能である。
（１）
基準面内に互いに離間して配置された複数の点光源と、
前記複数の点光源に対向配置された光学板と、
前記基準面の、前記複数の点光源の間の領域に設けられ、前記基準面から上端までの光学距離が前記基準面と前記光学板との間の光学距離よりも小さい構造体と
を備えた面発光装置。
（２）
前記構造体の上端と前記構造体に隣接する前記点光源の中心とを結ぶ直線が前記基準面に対してなす角θが数１を満たすと共に、前記基準面から前記構造体の上端までの光学距離ｈｃが数２を満たす
前記（１）記載の面発光装置。
（数１）
θ＜ａｒｃｔａｎ（ｈ／（Ｐ／２））
（数２）
ｈｃ＜（２ｈ）／３
（数１および数２において、Ｐは隣接する二つの点光源の間の光学距離、ｈは前記基準面と前記光学板との間の光学距離を表す。）
（３）
前記複数の点光源は、前記基準面内に行列状に配置されており、
前記構造体は、前記複数の点光源の行間または列間に線状に設けられている
前記（２）記載の面発光装置。
（４）
前記構造体は、前記複数の点光源の１行あるいは１列ごと、または複数行あるいは複数列ごとに設けられている
前記（３）記載の面発光装置。
（５）
前記構造体は、前記複数の点光源の各々を軸中心とした回転体形状を有する
前記（２）記載の面発光装置。
（６）
前記構造体の前記点光源に対向する側面は、曲面である
前記（１）ないし（５）のいずれか１項に記載の面発光装置。
（７）
前記構造体は前記複数の点光源からの光を前記光学板の側へ反射させる反射部材である
前記（１）ないし（６）のいずれか１項に記載の面発光装置。
（８）
面発光装置および前記面発光装置からの光を選択的に透過し画像を表示する液晶セルを備え、
前記面発光装置は、
基準面内に互いに離間して配置された複数の点光源と、
前記複数の点光源に対向配置された光学板と、
前記基準面の、前記複数の点光源の間の領域に設けられ、前記基準面から上端までの光学距離が前記基準面と前記光学板との間の光学距離よりも小さい構造体と
を備えた表示装置。
【符号の説明】
【００６３】
１，１Ａ〜１Ｄ…表示装置、２…液晶セル、３…面発光装置、１０…点光源、１０Ａ…基準面、２０…光学板、３０…構造体、４０…反射膜。
【図１】
2012138255.tif 000004
【図２】
2012138255.tif 000005
【図３】
2012138255.tif 000006
【図４】
2012138255.tif 000007
【図５】
2012138255.tif 000008
【図６】
2012138255.tif 000009
【図７】
2012138255.tif 000010
【図８】
2012138255.tif 000011
【図９】
2012138255.tif 000012
【図１０】
2012138255.tif 000013
【図１１】
2012138255.tif 000014
【図１２】
2012138255.tif 000015
【図１３】
2012138255.tif 000016
【図１４】
2012138255.tif 000017
【図１５】
2012138255.tif 000018
【図１６】
2012138255.tif 000019